(57)【特許請求の範囲】
【請求項１】
円筒面の上部に円錐面が連なるように形成された位置決めピンにおいて、前記円錐面の垂直断面の傾斜角よりも鉛直線に対して鋭角に傾斜した単一の平面または単一の円錐面で前記円筒面の下端から円錐面の上端に亘って前記円筒面の下端の切り取り円弧角が１８０°未満となるように切り取ったことを特徴とするディスク装置のディスクカートリッジ位置決めピン。
【請求項２】
前記円筒面の下端が形成する円の中心を起点として前記切り取る面の下端が形成する線の中央を通る直線が、前記ディスク装置に挿入されるディスクカートリッジの挿入口側およびシャッターの側に向けて延びる請求項１のディスク装置のディスクカートリッジ位置決めピン。
【発明の詳細な説明】
【０００１】
【発明の属する技術分野】
この発明はディスク装置に係わり、特に、そのディスクカートリッジ位置決めピンに関する。
【０００２】
【従来の技術】
従来のＭＤ記録再生装置のローディング機構の例を図４により説明する。図に示すＭＤ（ミニディスク）カートリッジ６はホルダ４に差込まれ、さらに手動またはローディング機構によりホルダ４の位置決め部４ａに当接するまでホルダ４内部に移送される。ホルダ４にはＭＤカートリッジ６のシャッター６ａの穴と係合するシャッター開閉板ばね５がかしめ付けられている。
【０００３】
ＭＤカートリッジ６を保持したホルダ４は矢印Ｄ方向に下降してＭＤカートリッジ６を記録再生ユニットシャーシに形成されたカートリッジ保持部材１に対して定位置に保持させる。すなわち、カートリッジ保持部材１に立設された前側位置決めピン２および後側位置決めピン３がＭＤカートリッジ６に設けられた前側位置決め凹部６ｂおよび後側位置決め凹部６ｃと嵌合してＭＤカートリッジ６の位置決めがなされる。
【０００４】
前側位置決めピン２の形状を図６により説明する。前側位置決めピン２の形状は後側位置決めピン３と同形であるが、高さｈの円筒面２ａの上に円錐面２ｂが連なる形に形成されている。すなわち、前側位置決めピン２は前後左右方向に対称である。円錐面２ｂはＭＤカートリッジ６を定位置に呼び込む作用を果たし、円筒面２ａはＭＤカートリッジ６を位置決めする。
【０００５】
【発明が解決しようとする課題】
上記したＭＤ記録再生装置のローディング機構では図５のホルダ４にＭＤカートリッジ６が挿入された状態の底面図に示すように、ＭＤカートリッジ６がシャッター開閉ばね５に押されて右側（上から見ると左側）に寄せられ、また、位置決め部４ａに当接した状態で後側に寄せられている。
【０００６】
すなわち、ＭＤカートリッジ６の側面とホルダ４の側面との間のクリアランスがあるためＭＤカートリッジ６が左右方向の片側に寄せられ、また、位置決め部４ａに当接するまで送り込まれるため、後側に寄せられている。なお、ＭＤカートリッジ６の側面とホルダ４の側面との間のクリアランスは熱膨張率差や製造公差のために所定の大きさが必要である。
【０００７】
このようにＭＤカートリッジ６がホルダ内で偏った位置にあるため、ＭＤカートリッジ６が位置決めされるとき前側位置決め凹部６ｂおよび後側位置決め凹部６ｃは実線で示す位置から点線で示す位置に移動する。すなわち、前側位置決めピン２の円錐面２ｂの右前方の面が位置決め凹部６ｂの面を押してＭＤカートリッジ６を定位置に移動させる。
【０００８】
前側位置決めピン２の円筒面２ａは図７に示すように前側位置決め凹部６ｂの入り口のテーパー部６ｄの上部と嵌合するために所定の高さ（図６に示すｈ）が必要である。前側位置決めピン２の円錐面２ｂの中心軸に対する傾斜角が大きいとＭＤカートリッジ６を呼び込むときに食いつきが生じやすい。一方、図７の点線で示すように傾斜角を小さくすると食いつきは生じないが、所定の呼び込み距離を確保するためには円錐面２ｂの高さが高くなる。
【０００９】
ＭＤカートリッジ６は円筒面２ａの高さｈと円錐面２ｂの高さの和だけ定位置より高い位置を移動させるために前側位置決めピン２が高くなることにより装置全体の高さを高くする必要があり、装置をコンパクトに設計するための障害となっていた。
【００１０】
この発明は上記した点に鑑みてなされたものであって、その目的とするところは、装置をコンパクトに設計することができ、しかも、位置決めピンとディスクカートリッジとの食いつきが生じないディスク装置のディスクカートリッジ位置決めピンを提供することにある。
【００１１】
【課題を解決するための手段】
この発明のディスク装置のディスクカートリッジ位置決めピンは、円筒面の上部に円錐面が連なるように形成された位置決めピンにおいて、前記円錐面の垂直断面の傾斜角よりも鉛直線に対して鋭角に傾斜した単一の平面または単一の円錐面で前記円筒面の下端から円錐面の上端に亘って前記円筒面の下端の切り取り円弧角が１８０°未満となるように切り取ったたものである。
【００１２】
また、前記位置決めピンにおいて、前記円筒面の下端が形成する円の中心を起点として前記切り取る面の下端が形成する線の中央を通る直線が、前記ディスク装置に挿入されるディスクカートリッジの挿入口側およびシャッターの側に向けて延びるものである。
【００１３】
【発明の実施の形態】
この発明の実施例であるディスク装置のディスクカートリッジ位置決めピンを図面に基づいて説明する。実施例のＭＤ記録再生装置のローディング機構は従来で説明したローディング機構の前側位置決めピン２を図１〜図３に示す前側位置決めピン２Ａで置き換えたものであり、他の構成は従来例で説明したものと同様である。
【００１４】
実施例の前側位置決めピン２Ａでは円筒面２ａと円錐面２ｂとを右前方向に向いた単一平面の切取り面２ｃで切り取ってある。切取り面２ｃの傾斜角は円錐面２ｂの傾斜角よりも小さい。すなわち、鉛直線に対して鋭角に傾斜している。
【００１５】
切取り面２ｃがＭＤカートリッジの位置決め凹部と当接してＭＤカートリッジを定位置に寄せるが傾斜角が小さいために食いつきが生じない。しかも円筒面の高さの部分に亘って傾斜しているので位置決めピンの高さを高くしなくてもよい。円筒面の一部が切り取られているが、切り取り部分の円弧角を１８０°より小さくしているので、位置決め精度を損なうことはない。
【００１６】
後側位置決めピンは従来のものと同様の形状としたが、長穴形状の後側位置決め凹部と嵌合するので食いつきは生じにくい。なお、後側位置決めピンも切取り面で切り取ってもよいが、その場合は後側位置決めピンが長穴の位置決め凹部と嵌合するので切取り面をＭＤカートリッジの側面に向ければよい。
【００１７】
実施例は以上のように構成されているが、発明はこれに限られず、例えば、位置決めピンの円錐面と円筒面を傾斜角の小さい円錐面で切り取ってももよい。また、この発明をＭＤ以外のカートリッジに収納されたディスクのディスク装置に適用することも可能である。
【００１８】
【発明の効果】
この発明のディスク装置のディスクカートリッジ位置決めピンによれば、位置決め精度を損なうことなく、また、ディスクカートリッジと位置決めピンとの食いつきを生じさせることなく、装置を薄型に設計することが可能なる。
【図面の簡単な説明】
【図１】この発明の実施例であるＭＤ記録再生装置のカートリッジ保持部材を示す平面図である。
【図２】同ＭＤ記録再生装置のカートリッジ位置決めピンを示す斜視図である。
【図３】図３（ａ）は同位置決めピンを示す平面図、図３（ｂ）は図３（ａ）におけるＡ方向矢視図である。
【図４】従来のＭＤ記録再生装置のローディング機構の例を示す斜視図である。
【図５】同ＭＤ記録再生装置の部分底面図である。
【図６】従来のＭＤ記録再生装置のカートリッジ位置決めピンを示す斜視図である。
【図７】同ＭＤ位置決めピンがカートリッジを位置決めした状態を示す断面図である。
【符号の説明】
１  カートリッジ保持部材
２、２Ａ  前側位置決めピン、２ａ  円筒面、２ｂ  円錐面、２ｃ  切取り面
３  後側位置決めピン
４  ホルダ、４ａ  位置決め部
５  シャッター開閉板ばね
６  ＭＤカートリッジ、６ａ  シャッター、６ｂ  前側位置決め凹部
６ｃ  後側位置決め凹部、６ｄ  テーパー部
【図１】
0004011342.tif 000002
【図２】
0004011342.tif 000003
【図３】
0004011342.tif 000004
【図４】
0004011342.tif 000005
【図５】
0004011342.tif 000006
【図６】
0004011342.tif 000007
【図７】
0004011342.tif 000008